(57)【特許請求の範囲】
【請求項１】
水廻り器具からの排水を流し、水平方向に延在する横引き管部と、
前記横引き管部の下流側端部に接続され、前記横引き管部の軸方向に直交する方向の流路断面積が下流側に向けて縮小する縮小管部と、
前記縮小管部の下流側端部に接続され、前記横引き管部よりも小径とされた水平方向に一直線状に延在する水平管部と、
前記水平管部の下流側端部に接続され、水平方向から鉛直方向下側に向きを変える落し込み管部と、
前記落し込み管部の下流側端部に接続され、鉛直方向下側に向けて延在する竪管部と、
を備え、
前記縮小管部は、内周壁の底面が、前記水平管部の底面部に続いて水平、かつ一直線状とされ、内周壁の天井面は前記横引き管部側から下流側に向けて高さが漸減している、サイホン排水システム。
【請求項２】
前記天井面を前記縮小管部の軸線に沿った縦断面で見た時に、前記天井面には、軸方向中間部に前記横引き管部側から下流側に向けて水平方向に対して一定角度で傾斜する直線状の第１傾斜部が設けられ、前記第１傾斜部の下流側に前記第１傾斜部から下流側に向けて水平方向に対する角度が徐々に小さくなるように管内周側に凸となる第１の円弧部が設けられている、請求項１に記載のサイホン排水システム。
【請求項３】
軸線を挟んで前記縮小管部の前記内周壁における幅方向一方側の側壁面と幅方向他方側の側壁面とは、前記横引き管部側から下流側に向けて互いの間隔が漸減している、請求項１または請求項２に記載のサイホン排水システム。
【請求項４】
前記側壁面を前記縮小管部の軸線に沿った水平断面で見た時に、前記側壁面には、軸方向中間部に前記横引き管部側から下流側に向けて前記軸線に対して一定角度で傾斜する直線状の第２傾斜部が設けられ、前記第２傾斜部の下流側に前記第２傾斜部から下流側に向けて前記軸線に対する角度が徐々に小さくなるように管内周側に凸となる第２の円弧部が設けられている、請求項３に記載のサイホン排水システム。
【発明の詳細な説明】
【技術分野】
【０００１】
本発明は、サイホン排水システムに関する。
【背景技術】
【０００２】
近年、従来の勾配排水システムに代わるものとして、所謂サイホン排水システムが提案されている（例えば、特許文献１参照）。サイホン排水システムは、特許文献１に記載されるように、水廻り器具にサイホン排水管を接続し、サイホン排水管の垂下部をなす竪管部にて発生するサイホン力（負圧力）を利用して、水廻り器具からの排水効率を向上させるシステムである。
【０００３】
このサイホン排水システムにおいては、水廻り器具から排出された排水はサイホン排水管に流入し、サイホン排水管の水平部をなす横引き管部及びサイホン排水管の垂下部をなす竪管部を満たす。サイホン排水管の竪管部が排水で満たされると、竪管部内の排水は重力により落下し、竪管部の内部に竪管部における水頭差に対応する吸引力、即ちサイホン力が発生する。横引き管部内の排水は、前記サイホン力によって竪管部に向かって吸引され、サイホン排水管内が排水で満たされる所謂満流流れとなってサイホン排水管内を流下する。
【０００４】
このように、サイホン排水システムでは、横引き管部の下流側に配置された竪管部に排水が流れ込み、かつ竪管部が排水で満たされないとサイホン力が発生しないため、水廻り器具から排水がなされてからサイホン力が発生するまでタイムラグがあり、水廻り器具から迅速に排水を流すことが望まれる。
【０００５】
ここで、横引き管部の径を竪管部の径に比べて大きくすることで、竪管部に至るまでの排水の搬送能力を上げ、サイホン作用を発生しやすくするサイホン排水システムが知られている（特許文献１参照）。
【先行技術文献】
【特許文献】
【０００６】
【特許文献１】特開２００８―０８２１５３号公報
【発明の概要】
【発明が解決しようとする課題】
【０００７】
上記サイホン排水システムでは、浴槽や洗濯機からの大量排水を効率的に排水することが可能であるが、シャワーや洗面などの少量排水の場合、特に、節水型水栓を用いた場合には、竪管部内が満流になり難く、サイホン力が発生し難くなる。
【０００８】
本発明は上記事実を考慮し、少ない流量でもサイホン力を発生することができるサイホン排水システムの提供を目的とする。
【課題を解決するための手段】
【０００９】
請求項１に記載のサイホン排水システムは、水廻り器具からの排水を流し、水平方向に延在する横引き管部と、前記横引き管部の下流側端部に接続され、前記横引き管部の軸方向に直交する方向の流路断面積が下流側に向けて縮小する縮小管部と、前記縮小管部の下流側端部に接続され、前記横引き管部よりも小径とされた水平方向に一直線状に延在する水平管部と、前記水平管部の下流側端部に接続され、水平方向から鉛直方向下側に向きを変える落し込み管部と、前記落し込み管部の下流側端部に接続され、鉛直方向下側に向けて延在する竪管部と、を備え、前記縮小管部は、内周壁の底面が、前記水平管部の底面部に続いて水平、かつ一直線状とされ、内周壁の天井面は前記横引き管部側から下流側に向けて高さが漸減している。
【００１０】
請求項１に記載のサイホン排水システムでは、横引き管部の下流側に、内周壁の底面が横引き管部の底面部に続いて水平とされ、内周壁の天井面の高さが横引き管部側から下流側に向けて漸減し、横引き管部の軸方向に直交する方向の流路断面積が下流側に向けて縮小する縮小管部が設けられており、この縮小管部の下流側の流路の天井面が、上流側の流路よりも下方に位置するため、横引き管部からの排水で縮小管部の下流側の流路を満流とすることができ、横引き管部内部の空気が縮小管部の下流側に流入することを阻止することができる。
【００１１】
このようにして縮小管部の下流側の流路を排水で満流とすることができるので、縮小管部の下流側に配置されて横引き管部よりも小径とされた水平管部においても満流状態を維持でき、満流状態を維持した排水をさらに下流側の落し込み管部を介して竪管部に至らせることができる。これにより、横引き管部が排水で満流とならない少量排水の場合であっても、サイホン力を発生させることができ、効率的に排水を行うことができる。
【００１２】
請求項２に記載の発明は、請求項１に記載のサイホン排水システムにおいて、前記天井面を前記縮小管部の軸線に沿った縦断面で見た時に、前記天井面には、軸方向中間部に前記横引き管部側から下流側に向けて水平方向に対して一定角度で傾斜する直線状の第１傾斜部が設けられ、前記第１傾斜部の下流側に前記第１傾斜部から下流側に向けて水平方向に対する角度が徐々に小さくなるように管内周側に凸となる第１の円弧部が設けられている。
【００１３】
請求項２に記載のサイホン排水システムでは、天井面を縮小管部の軸線に沿った縦断面で見た時に、天井面には、横引き管部側から下流側に向けて水平方向に対して一定角度で傾斜する直線状の第１傾斜部が設けられ、第１傾斜部の下流側に第１傾斜部から下流側に向けて水平方向に対する角度が徐々に小さくなるように管内周側に凸となる第１の円弧部が設けられているため、第１傾斜部から横引き管へ向かう天井面に沿って流れる排水の方向を滑らかに変化させることができ、通水抵抗（圧力損失）を低減することができるので、水平管部で形成された満流状態となった水の塊を崩さずに竪管側へ流し、竪管を満流にすることができる。
【００１４】
請求項３に記載の発明は、請求項１または請求項２に記載のサイホン排水システムにおいて、軸線を挟んで前記縮小管部の前記内周壁における幅方向一方側の側壁面と幅方向他方側の側壁面とは、前記横引き管部側から下流側に向けて互いの間隔が漸減している。
【００１５】
請求項３に記載のサイホン排水システムでは、側壁面の間隔を下流側に向けて漸減させることで、横引き管部が排水で満流とならない少量排水の場合、下流側に向かうにしたがって排水の水位を徐々に上げて水平管部における水位を上げることができ、水平管部の内部を満流にさせやすくなる。
【００１６】
請求項４に記載の発明は、請求項３に記載のサイホン排水システムにおいて、前記側壁面を前記縮小管部の軸線に沿った水平断面で見た時に、前記側壁面には、軸方向中間部に前記横引き管部側から下流側に向けて前記軸線に対して一定角度で傾斜する直線状の第２傾斜部が設けられ、前記第２傾斜部の下流側に前記第２傾斜部から下流側に向けて前記軸線に対する角度が徐々に小さくなるように管内周側に凸となる第２の円弧部が設けられている。
【００１７】
請求項４に記載のサイホン排水システムでは、直線状の第２傾斜部が設けられ、第２傾斜部の下流側に第２の円弧部が設けられているため、側壁面に沿って流れる排水の方向を滑らかに変化させることができる。
【発明の効果】
【００１８】
以上説明したように本発明のサイホン排水システムによれば、少ない流量でもサイホン力を発生することができるという優れた効果を有する。
【図面の簡単な説明】
【００１９】
【図１】本実施形態のサイホン排水システムの全体構成を示す側面図である。
【図２】サイホン排水管の継手付近を示す軸線に沿った縦断面図である。
【図３】テーパー孔の天井面を示す第２接続部材の軸線に沿った縦断面図である。
【図４】サイホン排水管の継手付近を示す軸線に沿った水平断面図である。
【図５】テーパー孔の側壁面を示す第２接続部材の軸線に沿った水平断面図である。
【図６】（Ａ）は実施例１に係るサイホン排水システムの要部を示す軸線に沿った縦断面図であり、（Ｂ）は比較例１に係るサイホン排水システムの要部を示す軸線に沿った縦断面図である。
【図７】（Ａ）は比較例２に係るサイホン排水システムの要部を示す軸線に沿った縦断面図であり、（Ｂ）は比較例３に係るサイホン排水システムの要部を示す軸線に沿った縦断面図である。
【発明を実施するための形態】
【００２０】
図１〜図５を用いて、本発明に係るサイホン排水システムの一実施形態について説明する。図１には、本実施形態に係るサイホン排水システム１０の全体構成が概略図にて示されている。本実施形態に係るサイホン排水システム１０は、サイホン力を利用して水回り器具からの排水を効率よく排出する排水システムである。
【００２１】
サイホン排水システム１０は、複数階で構成された集合住宅に用いられ、図１に示すように、排水を下方へ流す排水立て管１２を備えている。この排水立て管１２は、集合住宅の上下方向（縦方向）に延設され、集合住宅の各階の床スラブ１４を貫いている。なお、本発明に係るサイホン排水システムは、集合住宅に好適に用いられるが、集合住宅以外の戸建て住宅や工場等にも用いることができる。
【００２２】
集合住宅の各階の各戸には、水回り器具１６が設けられており、この水回り器具１６には、排水方向下流側に排水トラップ１７が接続されている。排水トラップ１７の排水方向下流側の端部には、サイホン排水管２２の一部を構成する第１配管部材２４の一端が接続されている。サイホン排水管２２は、第１配管部材２４、第２配管部材２６、第１配管部材２４と第２配管部材２６とを接続する径変換継手２８を含んで構成されている。本実施形態では、これら第１配管部材２４、第２配管部材２６、及び径変換継手２８が合成樹脂で形成されている。
【００２３】
なお、サイホン排水管２２を構成する第１配管部材２４は、略全体が床スラブ１４の上に水平に配置されており、上流側の一部が鉛直方向上側に延びて排水トラップ１７に接続されている。
【００２４】
本実施形態では、第１配管部材２４の内径が２８．１ｍｍとされており、第２配管部材２６の内径が２０ｍｍとされている。なお、第１配管部材２４には呼び径が２５Ｊの合成樹脂管が用いられ、第２配管部材２６には呼び径が２０Ａの合成樹脂管が用いられている。
【００２５】
図２に示すように、径変換継手２８は、管状の第１接続部材３０、及び管状の第２接続部材３２を含んで構成されており、水平に配置されている。第１接続部材３０には、上流側に、第１配管部材２４が挿入される第１挿入孔３４が形成されている。なお、第１挿入孔３４の内周面には、環状溝３６が形成されており、この環状溝３６に環状の弾性体からなるシール部材３８が嵌め込まれている。この第１挿入孔３４に第１配管部材２４を挿入することで、シール部材３８が第１配管部材２４の外周面に密着し、第１配管部材２４と第１接続部材３０との間をシールする。
【００２６】
第１接続部材３０には、下流側に、第２接続部材３２の大径部４０が挿入される第２挿入孔４２が形成されている。
【００２７】
第１接続部材３０の内周面には、第１挿入孔３４と第２挿入孔４２との間に、第１挿入孔３４、及び第２挿入孔４２よりも小径とされた円環状のストッパ４４が形成されている。このストッパ４４に第１配管部材２４の端部、及び第２配管部材２６の端部が各々突き当てられている。
【００２８】
第２接続部材３２は、上流側に第１接続部材３０の第２挿入孔４２に挿入される大径部４０が形成されており、下流側に小径部４６が形成されている。大径部４０は、第２接続部材３２の上流側の一部分を厚肉として大径とした部分であり、第１接続部材３０の第２挿入孔４２に挿入され固定されている。なお、大径部４０と第２挿入孔４２とは接着剤等で固定することができる。
【００２９】
第２接続部材３２の内部には、上流側から下流側に向けて流路断面積が漸減する流路４８が上流側に形成されており、一定径の挿入孔５０が下流側に形成されている。
挿入孔５０の内径は、流路４８の下流側端部の内径よりも若干大径に形成されている。本実施形態の流路４８は、軸方向直角断面形状が円形とされており、上流側から下流側に向けて径が徐々に小となるように形成されている。また、挿入孔５０は、軸方向直角断面形状が円形とされている。
【００３０】
ここで、第１配管部材２４の内径、第１接続部材３０のストッパ４４の内径、及び第２接続部材３２の流路４８の上流側の内径は、同一内径とされている。このため、第１配管部材２４の内周面と、ストッパ４４の内周面と、流路４８の上流側の内周面とは、段差無く滑らかに繋がる。
【００３１】
また、第２接続部材３２の挿入孔５０には、第２配管部材２６が挿入されて接続されている。第２配管部材２６の内径は、流路４８の下流側の端部の内径と同一内径とされているため、第２配管部材２６の内周面と、流路４８の下流側の内周面とは、段差無く滑らかに繋がる。
【００３２】
さらに、図２の軸線に沿った縦断面図で示すように、第１配管部材２４の内周面の下端、第１接続部材３０のストッパ４４の内周面の下端、第２接続部材３２の流路４８の内周面の下端、即ち底面、及び第２配管部材２６の第２接続部材３２の挿入孔５０に挿入されている部分の内周面の下端は、水平方向に一直線状に段差無く繋がっている。
なお、本実施形態において、水平方向とは、鉛直方向に対して９０°の方向に限らず、実質的に水平も含む。実施的に水平とは、鉛直方向に対して９０°±５°の範囲である。９０°＋５°とは、排水方向下流側が上流側よりも上方となるように傾斜していることを意味し、９０°−５°とは、下流側が上流側よりも下方となるように傾斜していることを意味する。
【００３３】
図２、及び図３に示すように、流路４８の内周面における天井面４８Ｕには、横引き管部側（図２、３右側）、即ち上流側から下流側（図２、３左側）に向けて水平方向に対して一定角度で傾斜する直線状の第１傾斜部４８Ａが設けられ、第１傾斜部４８Ａの下流側に第１傾斜部４８Ａから下流側に向けて水平方向に対する角度が徐々に小さくなるように管内周側に凸となる曲率半径Ｒ１とされた第１の円弧部４８Ｂが設けられている。第１の円弧部４８Ｂの下流側の端部における第１の円弧部４８Ｂの接線方向は、水平管部２６Ａの内周壁の上端、即ち天井面と一致し、第１の円弧部４８Ｂと水平管部２６Ａの天井面とは滑らかに接続されている。また、第１傾斜部４８Ａと第１の円弧部４８Ｂとは滑らかに接続されている。なお、流路４８において、第１傾斜部４８Ａの上流側に、第１傾斜部４８Ａから上流側に向けて軸線方向に対する角度が徐々に小さくなるように管外側に凸となる円弧部が設けられていても良い。
【００３４】
なお、第１の円弧部４８Ｂの曲率中心４８Ｂｃは、第２接続部材３２の挿入孔５０の上流側端部の径方向外側の延長線Ｌ１上にある。
【００３５】
したがって、流路４８の内周面の上端、即ち天井面４８Ｕは、上流側から下流側に向けて一定角度で傾斜した後、徐々に傾斜角度が小さくなっており、流路４８の内周面の上端の高さ、即ち、流路４８の内周面の下端（底面）からの内周面の上端、即ち天井面４８Ｕまでの鉛直方向の距離は、第２接続部材３２の上流側の端部から下流側の挿入孔５０に至るまで徐々に低くなっている。
【００３６】
図４の軸線に沿った水平断面図で示すように、第２接続部材３２の流路４８は、上流側から下流側に向けて軸線を挟んで幅方向一方側の側壁面４８Ｌと幅方向他方側の側壁面４８Ｒとが互いに接近するように、上流側から下流側に向けて幅方向の間隔が漸減している。
【００３７】
図５の軸線に沿った水平断面図で示すように、流路４８の内周面における側壁面４８Ｒには、横引き管部側（図５右側）、即ち上流に、上流側から下流側（図５左側）に向けて軸線に対して一定角度で傾斜する直線状の第２傾斜部４８ＲＡが設けられ、第２傾斜部４８ＲＡの下流側に第２傾斜部４８ＲＡから下流側に向けて軸線方向に対する角度が徐々に小さくなるように管内周側に凸となる曲率半径Ｒ２とされた第２の円弧部４８ＲＢが設けられている。また、第２傾斜部４８ＲＡと第２の円弧部４８ＲＢとは滑らかに接続されている。第２の円弧部４８ＲＢの曲率中心４８ＲＢｃは、第２接続部材３２の挿入孔５０の上流側端部の径方向外側の延長線Ｌ２上にある。したがって、側壁面４８Ｒは、上流側から下流側に向けて一定角度で傾斜した後、徐々に傾斜角度が小さくなっている。また、第２の円弧部４８ＲＢの下流側の端部における第２の円弧部４８ＲＢの接線方向は、水平管部２６Ａの内周壁の側壁面と一致し、第２の円弧部４８ＲＢと水平管部２６Ａの側壁面とは滑らかに接続されている。なお、流路４８において、第２傾斜部４８ＲＡの上流側に、第２傾斜部４８ＲＡから上流側に向けて軸線方向に対する角度が徐々に小さくなるように管外側に凸となる円弧部が設けられていても良い。
【００３８】
図示は省略するが、流路４８の内周面における側壁面４８Ｌは、軸線を挟んで側壁面４８Ｒと対称形状であり、側壁面４８Ｌも上流側から下流側に向けて一定角度で傾斜した後、徐々に傾斜角度が小さくなっている。
【００３９】
本実施形態では、第１配管部材２４の内径が２８．１ｍｍとされ、第２配管部材２６の内径が２０ｍｍとされているため、流路４８は、上流側の端部の内径が２８．１ｍｍ、下流側の端部の内径が２０ｍｍとされ、内径が２８．１ｍｍから２０ｍｍへ徐々に縮径している。
【００４０】
図２に示すように、本実施形態のサイホン排水管２２において、第１配管部材２４の水平に一直線状に配置されている部分、及びストッパ４４の形成されている部分は横引き管部５４とされている。
第２接続部材３２の流路４８の形成されている部分は縮小管部３２Ａとされている。  
第２配管部材２６のうちで、上流側の水平方向に直線状に延びている部分は水平管部２６Ａとされている。
【００４１】
なお、横引き管部５４の内径は、２０ｍｍ以上４０ｍｍ以下の範囲内とすることが好ましく、水平管部２６Ａ、落し込み管部２６Ｂ、及び竪管部２６Ｃの各々内径は、横引き管部５４の内径よりも細く、１５ｍｍ以上３２ｍｍ以下の範囲内とすることが好ましい。また、水平管部２６Ａの長さは、１５ｍｍ以上１５０ｍｍ以下の範囲内とすることが好ましい。なお、横引き管部５４の内径Ｄ１と水平管部２６Ａの内径Ｄ２との比率Ｄ２／Ｄ１は、０．４以上０．９５以下の範囲内とすることが好ましい。
本実施形態では、横引き管部５４の内径が２８．１ｍｍ、水平管部２６Ａ、落し込み管部２６Ｂ、及び竪管部２６Ｃの各々内径が２０ｍｍに設定されている。
【００４２】
なお、サイホン排水管２２の第２配管部材２６の下端は、排水立て管１２の中間部に取付けられた合流継手５６に接続されている。サイホン排水管２２から排出された排水は、この合流継手５６を介して排水立て管１２内に排出される。
【００４３】
（作用、効果）
本実施形態のサイホン排水システム１０によれば、水回り器具１６から排出された排水は、排水トラップ１７、第１配管部材２４、径変換継手２８、第２配管部材２６、及び合流継手５６、即ち、排水トラップ１７、横引き管部５４、縮小管部３２Ａ、水平管部２６Ａ、落し込み管部２６Ｂ、及び竪管部２６Ｃ、及び合流継手５６を経て排水立て管１２へ合流する。
【００４４】
ここで、水廻り器具１６から大量の排水がサイホン排水管２２に流入する場合には、横引き管部５４が排水で満流となり、その後、排水は、満流状態を維持して縮小管部３２Ａ、水平管部２６Ａ、落し込み管部２６Ｂ、および竪管部２６Ｃを順に流れる。満流となった排水が竪管部２６Ｃ内を重力により落下すると、サイホン水頭Ｈｓのポテンシャルエネルギ−により、サイホン力が発生する。横引き管部５４、縮小管部３２Ａ、水平管部２６Ａ、及び落し込み管部２６Ｂの内部の排水は、サイホン力によって竪管部２６Ｃに向かって吸引され、排水が満流流れとなって流下し、効率的に排水が行われる。
【００４５】
一方、水廻り器具１６から排出される排水が少なく、横引き管部５４に流入する排水の単位時間当たりの流量が少ない場合には、排水は横引き管部５４の下側を流れ、上側には空気が残存した空間が形成されるため、横引き管部５４が満流とならないことがある。ここで、サイホン排水システム１０では、下流側の竪管部２６Ｃの内部が満流にならないと、サイホン力が発生しなくなり、横引き管部５４の内部の排水を吸引することが出来なくなる。
【００４６】
本実施形態のサイホン排水システム１０では、横引き管部５４の下流側に、流路断面積が下流側に向けて縮小する縮小管部３２Ａが設けられているため、横引き管部５４の内部の排水が少量の場合であっても、縮小管部３２Ａの下流側において流路が満流となり易い。
【００４７】
このようにして縮小管部３２Ａの下流側で流路を排水で満流とすることで、縮小管部３２Ａの下流側の水平管部２６Ａにおいても満流状態を維持でき、満流状態を維持した排水をさらに下流側の落し込み管部２６Ｂを介して竪管部２６Ｃに至らせることができる。このため、本実施形態のサイホン排水システム１０は、横引き管部５４が排水で満流とならない少量排水の場合であっても、竪管部２６Ｃでサイホン力を発生させることが可能となり、効率的に排水を行うことが可能となる。
【００４８】
本実施形態のサイホン排水システム１０では、横引き管部５４の内径を２０ｍｍ以上４０ｍｍ以下の範囲内、水平管部２６Ａの内径を横引き管部５４の内径よりも細くし、かつ水平管部２６Ａの内径を１５ｍｍ以上３２ｍｍ以下の範囲内、水平管部２６Ａの長さを１５ｍｍ以上１５０ｍｍ以下の範囲内としているので、排水の流量が少ない場合であってもサイホン力を発生させ易くなっている。
【００４９】
なお、横引き管部５４の内径Ａと水平管部２６Ａの内径Ｂとの比率Ｂ／Ａは、前述したように０．４以上０．９５以下の範囲内とすることが好ましく、この比率Ｂ／Ａが０．９５を超えると、横引き管部５４の内径に対して水平管部２６Ａの内径が小さくならず、排水が少量の場合に水平管部２６Ａを満流にすることが困難となる。一方、この比率Ｂ／Ａが０．４未満になると、横引き管部５４の内径に対して水平管部２６Ａの内径が小さくなり過ぎ、処理流量が小さくなってしまう。
【００５０】
［試験例］
本発明の効果を確かめるために、本発明の適用された実施例のサイホン排水システム、比較例に係るサイホン排水システムを試作し、水廻り器具から排水を行ってサイホン力が起動するまでの時間を、排水量を種々変更して測定した。
【００５１】
図６、及び図７には、実施例、及び比較例１〜３に係るサイホン排水システムの要部が示されている。なお、実施例、及び比較例１〜３に係るサイホン排水システムにおいて、前述した実施形態と同一構成には同一符号を付し、その説明は省略する。なお、実施例、及び比較例１〜３では、横引き管部５４の長さＬ１を８ｍ、落し込み管部２６Ｂの上下方向寸法Ｌ２を７３ｍｍ、竪管部２６Ｃの長Ｌ３さを２．５ｍとした。
【００５２】
実施例：図６（Ａ）に示すサイホン排水システム。横引き管部５４の内径は２８．１ｍｍ、水平管部２６Ａから竪管部２６Ｃまでの内径は２０ｍｍ、径変換継手２８の上流側の端部から竪管部２６Ｃの中心までの水平方向距離Ａは１８０ｍｍ、水平管部２６Ａの長さＢは４７ｍｍとした。
【００５３】
比較例１：図６（Ｂ）に示すサイホン排水システム。横引き管部５４の内径は２８．１ｍｍ、竪管部２６Ｃの内径は２０ｍｍ、径変換継手２８の上流側の端部から竪管部２６Ｃの中心までの水平方向距離Ａは１３３ｍｍ、水平管部２６Ａの長さＢは０ｍｍとした。
【００５４】
比較例２：図７（Ａ）に示すサイホン排水システム。横引き管部５４の内径は２８．１ｍｍ、竪管部２６Ｃの内径は２０ｍｍ、径変換継手２８の上流側の端部から竪管部２６Ｃの中心までの水平方向距離Ａは１１４ｍｍ、水平管部２６Ａの長さＢは０ｍｍとした。また、落し込み管部２６Ｂの上流側端部から下流側端部に向けて落し込み管部２６Ｂの径を徐々に縮径し、落し込み管部２６Ｂの上流側の端部で横引き管部５４と同じ径、落し込み管部２６Ｂの下流側端部で竪管部２６Ｃと同じ内径とした。
【００５５】
比較例３：図７（Ｂ）に示すサイホン排水システム。横引き管部５４の内径は２８．１ｍｍ、竪管部２６Ｃの内径は２０ｍｍ、径変換継手２８の上流側の端部から竪管部２６Ｃの中心までの水平方向距離Ａは１１８ｍｍ、水平管部２６Ａの長さＢは０ｍｍとした。また、横引き管部５４の下流側から竪管部２６Ｃに向けて一定径とし、落し込み管部２６Ｂの下流側端部付近で竪管部２６Ｃと同じ内径となるように縮径した。
【００５６】
試験は、水廻り器具からの排水量（リットル／分）を種々変更し、サイホン力が起動するまでのサイホン起動時間を計測した。なお、サイホン起動とは、横引き管部内が負圧になることであり、サイホン起動時間とは、水廻り器具が排水を始めてから横引き管部内で負圧が発生するまでの時間のことである。
【表１】
0006705627.tif 000002
【００５７】
試験の結果、実施例のサイホン排水システムでは、水廻り器具からの排水の排水量が５．５Ｌ／ｍｉｎという少ない状況においても、サイホン力を発生させることが出来た。
比較例１では、縮小管部３２Ａはあるものの水平管部２６Ａが無いため、排水量が６．５Ｌ／ｍｉｎになると、図６（Ｂ）に示すように、縮小管部３２Ａの下流側が満流とならず、それに続く竪管部２６Ｃも満流とならないため、サイホン力が発生しなかった。水平管部２６Ａが無い場合は、縮小管部３２で一時的に排水が満流になっても、排水はすぐに落し込み管部２６Ｂに流入するため、水塊にならず、竪管部２６Ｃ内で空気と層分離し、吸引力が発生しない。
比較例２では、図７（Ａ）に示すように、落し込み管部２６Ｂの上流側に縮小管部３２Ａ、及び水平管部２６Ａが無く、内径が太いため、排水量が９Ｌ／ｍｉｎであっても竪管部２６Ｃが満流とならず、サイホン力が発生しなかった。
比較例３では、排水量が７Ｌ／ｍｉｎになると、図７（Ｂ）に示すように、落し込み管部２６Ｂが満流とならず、横引き管部５４内の排水を吸引することができなかった。
【００５８】
［その他の実施形態］
以上、本発明の一実施形態について説明したが、本発明は、上記に限定されるものでなく、上記以外にも、その主旨を逸脱しない範囲内において種々変形して実施可能であることは勿論である。
上記実施形態の径変換継手２８は、第１接続部材３０と第２接続部材３２とが接続して構成されていたが、第１接続部材３０と第２接続部材３２とは一体化されていても良い。
【００５９】
上記実施形態では、水平管部２６Ａ、落し込み管部２６Ｂ、及び竪管部２６Ｃが１本の第２配管部材２６で連続的に構成されていたが、水平管部２６Ａ、落し込み管部２６Ｂ、及び竪管部２６Ｃを別々の配管部材で構成して連結しても良い。
【００６０】
上記実施形態では、縮小管部３２Ａと水平管部２６Ａとが別体であったが、縮小管部３２Ａに水平管部２６Ａを一体的に構成しても良い。
【００６１】
上記実施形態では、水平管部２６Ａ、落し込み管部２６Ｂ、及び竪管部２６Ｃが１本の第２配管部材２６で構成されていたが、水平管部２６Ａ、落し込み管部２６Ｂ、及び竪管部２６Ｃは、別々の配管部材で構成しても良い。
【００６２】
上記実施形態の流路４８は、上流側から下流側に向けて横幅が狭くなっていたが、少なくとも天井面の高さが横引き管部５４側から下流側に向けて漸減し、流路断面積が下流側に向けて縮小していれば良く、上流側から下流側に向けて横幅が一定であっても良い。
【００６３】
上記実施形態では、第１配管部材２４、第２配管部材２６、及び径変換継手２８の軸直角断面形状が円形であったが、円形に限らず、楕円形等、他の断面形状であっても良い。
【符号の説明】
【００６４】
１０…サイホン排水システム、２６Ａ…水平管部、２６Ｂ…落し込み管部、２６Ｃ…竪管部、３２Ａ…縮小管部、４８Ａ…第１傾斜部、４８Ｂ…第１の円弧部、４８Ｒ…側壁面、４８Ｌ…側壁面、４８ＲＡ…第２傾斜部、４８ＲＢ…第２の円弧部、４８Ｕ…天井面、５４…横引き管部、
【図１】
0006705627.tif 000003
【図２】
0006705627.tif 000004
【図３】
0006705627.tif 000005
【図４】
0006705627.tif 000006
【図５】
0006705627.tif 000007
【図６】
0006705627.tif 000008
【図７】
0006705627.tif 000009